(57)【要約】【課題】かご内の呼び登録押しボタンを無くし、かご室壁面の任意の位置や高さにバーチャル化した仮想のバーチャル呼び登録ボタンを投影することにより、通常の呼び登録押しボタンとして代替できるエレベータのかご内呼び登録装置を得る。【解決手段】かご室１内のかご呼び登録用押しボタンを無くし、代替としてかご室の側壁面にバーチャル化された仮想のバーチャル呼び登録ボタン４を投影するバーチャル呼び登録ボタン投影器と、投影されたバーチャル呼び登録ボタンがタッチされたことを検出する位置検出センサとから構成されたバーチャル式呼び登録ボタン装置３を備える。【選択図】図１
2010143683.tif 000002
【特許請求の範囲】
【請求項１】
かご室内に設けられ、かご呼びを登録するエレベータのかご内呼び登録装置において、
かご室内のかご呼び登録用押しボタンを無くし、代替としてかご室の側壁面にバーチャル化された仮想のバーチャル呼び登録ボタンを投影するバーチャル呼び登録ボタン投影器と、前記投影されたバーチャル呼び登録ボタンがタッチされたことを検出する位置検出センサとから構成されたバーチャル式呼び登録ボタン装置を備えたことを特徴とするエレベータのかご内呼び登録装置。
【請求項２】
バーチャル式呼び登録ボタン装置は、かご室の側面壁に投影するバーチャル呼び登録ボタンの投影位置及び投影高さを乗客の立ち位置情報及び乗客の身長情報に合わせて任意に変更できるようにしたことを特徴とする請求項１記載のエレベータのかご内呼び登録装置。
【請求項３】
バーチャル式呼び登録ボタン装置は、かご内防犯カメラによりかご内の乗客の立ち位置情報を取り込み、扉に設けた背の高さを検知するセンサにより乗客の身長情報を取り込むことを特徴とする請求項２記載のエレベータのかご内呼び登録装置。
【請求項４】
かご室の側面壁に投影するバーチャル呼び登録ボタンの投影位置を、乗客に遮られないようにかご出入口と乗客との間に設定したことを特徴とする請求項２又は請求項３記載のエレベータのかご内呼び登録装置。
【請求項５】
バーチャル式呼び登録ボタン装置は、かご室内の乗客が複数人と判断された場合は、側面壁に投影するバーチャル呼び登録ボタンの投影位置及び投影高さを予め設定された標準の位置及び標準の高さにするようにしたことを特徴とする請求項２記載のエレベータのかご内呼び登録装置。
【請求項６】
バーチャル式呼び登録ボタン装置が、かご室の側壁面にバーチャル呼び登録ボタンを投影している時はかご室内の照明を暗くし、かご走行中などのバーチャル呼び登録ボタンを投影していない時はかご室内の照明を明るくしたことを特徴とする請求項１記載のエレベータのかご内呼び登録装置。
【請求項７】
バーチャル式呼び登録ボタン装置は、オートロック機能の呼び出しボタンと連動し、かご室の側面壁に投影するバーチャル呼び登録ボタンを前記オートロック機能の呼び出しボタンと連動する行き先階のみ表示するようにしたことを特徴とする請求項１記載のエレベータのかご内呼び登録装置。
【発明の詳細な説明】
【技術分野】
【０００１】
この発明は、エレベータのかご内呼び登録装置、特に、バーチャル化した仮想のバーチャル呼び登録ボタンをかご室壁面に投影することにより、通常の呼び登録押しボタンの代替用とするものである。
【背景技術】
【０００２】
従来、エレベータのかご内呼び登録装置の押しボタンは、かご内主操作盤の他に、オプションとして副操作盤や車椅子用操作盤に設置されることがある。このように操作盤の数を増やすことは、エレベータ利用者の利便性を追求していることになる。
【０００３】
また、かご内主操作盤だけが設置されたエレベータの場合は、例えば、メーカーにより設置する左右の位置が異なることがあり、利用者である乗客が戸惑いを感じることがある。また、女性や子供等の背の低い乗客が上側の押しボタンに手が届かない等の問題が発生するケースも考えられる。このような問題点を解決する従来技術として、乗客の位置に合わせて移動する操作盤を備えて、ボタンに手が届くようにしたエレベータの可動操作盤が提案されている(例えば、特許文献１参照)。
【０００４】
【特許文献１】特開平７−２８５７４７号公報
【発明の開示】
【発明が解決しようとする課題】
【０００５】
従来のように操作盤の数を増やすことは、エレベータ利用者の利便性を追求していることになるが、その反面、押しボタンの数が多くなることで、押しボタンのＯＮ／ＯＦＦ故障の発生率が高くなり、多数の押しボタンを点検する時間も多大となるという問題があった。
また、従来技術であるエレベータの可動操作盤では、かご室の天井にガイドレールを設けたり、ワイヤー巻取装置や昇降ワイヤーを追加して設ける必要があり、構造が複雑で設置スペース大きくなるという問題があった。
【０００６】
この発明は、上述のような課題を解決するためになされたもので、かご内の呼び登録押しボタンを無くし、かご室壁面の任意の位置や高さにバーチャル化した仮想のバーチャル呼び登録ボタンを投影することにより、通常の呼び登録押しボタンとして代替できるようにしたエレベータのかご内呼び登録装置を提供するものである。
【課題を解決するための手段】
【０００７】
この発明に係るエレベータのかご内呼び登録装置は、かご室内のかご呼び登録用押しボタンを無くし、代替としてかご室の側壁面にバーチャル化された仮想のバーチャル呼び登録ボタンを投影するバーチャル呼び登録ボタン投影器と、投影されたバーチャル呼び登録ボタンがタッチされたことを検出する位置検出センサとから構成されたバーチャル式呼び登録ボタン装置を備えたものである。
【０００８】
また、バーチャル式呼び登録ボタン装置は、かご室の側面壁に投影するバーチャル呼び登録ボタンの投影位置及び投影高さを乗客の立ち位置情報及び乗客の身長情報に合わせて任意に変更できるようにしたものである。
【０００９】
また、バーチャル式呼び登録ボタン装置は、かご内防犯カメラによりかご内の乗客の立ち位置情報を取り込み、扉に設けた背の高さを検知するセンサにより乗客の身長情報を取り込むものである。
【００１０】
また、かご室の側面壁に投影するバーチャル呼び登録ボタンの投影位置を、乗客に遮られないようにかご出入口と乗客との間に設定したものである。
【００１１】
また、バーチャル式呼び登録ボタン装置は、かご室内の乗客が複数人と判断された場合は、側面壁に投影するバーチャル呼び登録ボタンの投影位置及び投影高さを予め設定された標準の位置及び標準の高さにするようにしたものである。
【００１２】
また、バーチャル式呼び登録ボタン装置が、かご室の側壁面にバーチャル呼び登録ボタンを投影している時はかご室内の照明を暗くし、かご走行中などのバーチャル呼び登録ボタンを投影していない時はかご室内の照明を明るくしたものである。
【００１３】
また、バーチャル式呼び登録ボタン装置は、オートロック機能の呼び出しボタンと連動し、かご室の側面壁に投影するバーチャル呼び登録ボタンをオートロック機能の呼び出しボタンと連動する行き先階のみ表示するようにしたものである。
【発明の効果】
【００１４】
この発明によれば、かご室内のかご呼び登録用押しボタンを無くし、代替としてかご室の側壁面にバーチャル化された仮想のバーチャル呼び登録ボタンを投影するようにしたので、呼び登録ボタンの動作点検の実施時間を大幅に削減することができる。また、押しボタンでなく、投影されるバーチャルボタンであるため、押しボタンを設けない分かご室の壁の突出量が小さくなる。
【発明を実施するための最良の形態】
【００１５】
実施の形態１．
図１はこの発明の実施の形態１におけるエレベータのかご内呼び登録装置によるバーチャル化した仮想のバーチャル呼び登録ボタンを背の高い乗客向けにかご室壁面の高位置に投影した状態を示す斜視図、図２はこの発明の実施の形態１におけるエレベータのかご内呼び登録装置によるバーチャル呼び登録ボタンを背の低い乗客向けにかご室壁面の低位置に投影した状態を示す斜視図、図３はこの発明の実施の形態１におけるエレベータのかご内呼び登録装置によるバーチャル呼び登録ボタンを背の高い乗客向けにかご室壁面の別の位置に投影した状態を示す斜視図、図４はこの発明の実施の形態１におけるエレベータのかご内呼び登録装置の動作を説明するためのフローチャートである。
【００１６】
図１〜図３において、１はエレベータのかご室、２はかご室１の出入口を開閉するように設けられたかごの戸、３はかご室１の出入口側上部の天井部のほぼ中央に設けられたバーチャル式呼び登録ボタン装置である。このバーチャル式呼び登録ボタン装置３は、例えばかご室１の出入口側上部の天井部のほぼ中央に設けられ、かご室１の一側壁面にバーチャル化された複数の階床（例えば１階〜１０階）を表示する仮想のバーチャル呼び登録ボタン４を投影するバーチャル呼び登録ボタン投影器と、バーチャル呼び登録ボタン４のうち所定の階床ボタンがタッチされたことを検出する位置検出センサとから構成される。上記バーチャル式呼び登録ボタン装置３のバーチャル呼び登録ボタン投影器は、かご室１の左右の壁面に投影するバーチャル呼び登録ボタン４の投影高さや投影位置を乗客の背の高さ（身長）情報や乗客の立ち位置情報等に合わせて任意に変更できるように上下左右に可動可能な構造となっている。上記バーチャル式呼び登録ボタン装置３の位置検出センサは、バーチャル呼び登録ボタン４の所定の階床ボタンに手指がタッチされると、かご呼び登録があったことを制御ケーブル（図示せず）を介して制御盤（図示せず）に伝送する。図１は背の高い乗客向けにかご室１の一側壁面の高位置でしかも乗客に遮られないように出入口と乗客との間にバーチャル呼び登録ボタン４を投影した状態を示している。また、図２は背の低い乗客向けにかご室１の一側壁面の低位置でしかも乗客に遮られないように出入口と乗客との間にバーチャル呼び登録ボタン４を投影した状態を示している。更に、図３は背の高い乗客向けにかご室１の他側壁面の高位置でしかも乗客に遮られないように出入口と乗客との間にバーチャル呼び登録ボタン４を投影した状態を示している。５はかご室１の袖壁に設けられた従来と同様の構成の戸開閉ボタン、６はかご室１の袖壁に設けられた従来と同様の構成のインターホンボタンである。また、図示は省略してあるが、かごの戸２に背の高さを検知するマルチビームドアセンサ（図示せず）等を設け、このマルチビームドアセンサによりかご室１内に乗り込む乗客の背の高さ（身長）の情報を取り込み、或いはかご内防犯カメラ（図示せず）等を設け、このかご内防犯カメラによりかご室１内に乗り込んだ乗客の立ち位置情報を取り込むことにより、上記バーチャル式呼び登録ボタン装置３から投影されるバーチャル呼び登録ボタン４の投影高さや投影位置を乗客の背の高さ（身長）情報や乗客の立ち位置情報等に合わせて任意に変更できるようにしている。
【００１７】
なお、バーチャル式呼び登録ボタン装置３は、かご室１の側壁面にバーチャル呼び登録ボタン４を投影している時はかご室１内の照明を暗くすることにより、バーチャル呼び登録ボタン４を見易くしている。また、かご走行中などのバーチャル呼び登録ボタン４を投影していない時は、犯罪等を防止するためにかご室１内の照明を明るくするようにしている。また、バーチャル式呼び登録ボタン装置３は、かご室１の出入口側上部の天井部のほぼ中央に１個設けるだけでなく、天井部に複数個設け、乗客の身長や乗客の立ち位置、乗客の人数に合わせて、バーチャル呼び登録ボタン４が遮られないように選択して投影させれば良い。
【００１８】
次に、図４によりこの発明のエレベータのかご内呼び登録装置の動作について、図４により説明する。
先ず、ステップＳ１でかごの戸２に設けたマルチビームドアセンサ及びかご内防犯カメラ等によりかご室１内の乗客の人数を認識する。次に、ステップＳ２でかご室１内の人数が１人と判断された場合、ステップＳ３に進み、マルチビームドアセンサによりかご室１内の乗客の背の高さ（身長）の情報を認識する。そして、ステップＳ４でバーチャル式呼び登録ボタン装置３のバーチャル呼び登録ボタン投影器によってかご室１の側壁面に投影されるべきバーチャル呼び登録ボタン４の投影高さを乗客の背の高さ（身長）情報に合わせて決定する。この場合、バーチャル呼び登録ボタン４の投影高さは、乗客の肩の高さ付近に来るのが好ましい（図１〜図３参照）。次に、ステップＳ５に進み、かご内防犯カメラによりかご室１内の乗客の立ち位置の情報を認識する。そして、ステップＳ６でバーチャル式呼び登録ボタン装置３のバーチャル呼び登録ボタン投影器によってかご室１の側壁面に投影されるべきバーチャル呼び登録ボタン４の投影位置を乗客の立ち位置情報に合わせて決定する。この場合、バーチャル呼び登録ボタン４の投影位置は、乗客に遮られないように出入口と乗客との間に来るのが好ましい（図１〜図３参照）。上記ステップＳ３〜Ｓ６により、バーチャル式呼び登録ボタン装置３のバーチャル呼び登録ボタン投影器によってかご室１の側壁面に投影されるべきバーチャル呼び登録ボタン４の投影高さ及び投影位置が決定され、ステップＳ７によりバーチャル呼び登録ボタン４が投影される。したがって、乗客はかご室１の側壁面の操作し易い個所に投影されたバーチャル呼び登録ボタン４を容易に操作することができる。また、ステップＳ２でかご室１内の人数が複数人と判断された場合はステップＳ８に進み、バーチャル式呼び登録ボタン装置３のバーチャル呼び登録ボタン投影器によってかご室１の側壁面に投影されるべきバーチャル呼び登録ボタン４は、予め設定された標準の投影高さ及び標準の投影位置に決定される。なお、標準の投影高さ及び標準の投影位置としては、かご室１の袖壁に設けられた戸開閉ボタン５の近傍が乗客にとって馴染みがあるため望ましい。バーチャル呼び登録ボタン４は標準の投影高さ及び標準の投影位置に投影されることになるが、乗客は複数人であるので、例え女性や子供等の背の低い乗客がいても問題はない。
【００１９】
実施の形態２．
図５はこの発明の実施の形態２におけるエレベータのかご内呼び登録装置によるバーチャル呼び登録ボタンを背の高い乗客向けにかご室壁面の高位置に投影した状態を示す斜視図である。なお、図中、実施の形態１と同一又は相当部分には同一符号を付して説明を省略する。
【００２０】
この実施の形態２においては、オートロック機能付きマンションやビル等で、オートロック機能の呼び出しボタンと連動させることにより、バーチャル式呼び登録ボタン装置３は、かご室１の一側壁面にバーチャル化されたオートロックの呼び出しボタンに連動する行き先階（例えば８階）のみを表示するバーチャル呼び登録ボタン４を投影するバーチャル呼び登録ボタン投影器を備えたものである。上記バーチャル式呼び登録ボタン装置３のバーチャル呼び登録ボタン投影器は、かご室１の左右の壁面に投影するバーチャル呼び登録ボタン４の位置や高さを乗客の立ち位置情報や乗客の背の高さ（身長）情報等に合わせて任意に変更できるように上下左右に可動可能な構造となっていることは実施の形態１と同様である。
【００２１】
この実施の形態２によれば、オートロック機能の呼び出しボタンと連動させているので、目的の階のボタンのみ投影することにより、外部者に建物の階床情報を公開しないことになり、セキュリティ性を高めることができる。
【図面の簡単な説明】
【００２２】
【図１】この発明の実施の形態１におけるエレベータのかご内呼び登録装置によるバーチャル化した仮想のバーチャル呼び登録ボタンを背の高い乗客向けにかご室壁面の高位置に投影した状態を示す斜視図である。
【図２】この発明の実施の形態１におけるエレベータのかご内呼び登録装置によるバーチャル呼び登録ボタンを背の低い乗客向けにかご室壁面の低位置に投影した状態を示す斜視図である。
【図３】この発明の実施の形態１におけるエレベータのかご内呼び登録装置によるバーチャル呼び登録ボタンを背の高い乗客向けにかご室壁面の別の位置に投影した状態を示す斜視図である。
【図４】この発明の実施の形態１におけるエレベータのかご内呼び登録装置の動作を説明するためのフローチャートである。
【図５】この発明の実施の形態２におけるエレベータのかご内呼び登録装置によるバーチャル呼び登録ボタンを背の高い乗客向けにかご室壁面の高位置に投影した状態を示す斜視図である。
【符号の説明】
【００２３】
１  エレベータのかご
２  かごの戸
３  バーチャル式呼び登録ボタン装置
４  バーチャル呼び登録ボタン
５  戸開閉ボタン
６  インターホンボタン
【図１】
2010143683.tif 000003
【図２】
2010143683.tif 000004
【図３】
2010143683.tif 000005
【図４】
2010143683.tif 000006
【図５】
2010143683.tif 000007